(57)【要約】 【課題】  安心感を与える抱き枕を提供する。【解決手段】    モータ８を駆動すると、減速ギヤ列１４及びギヤ１２を介してカム１１が回転し、この回転によって上プレート５が下プレート４に対して相対的に上下動し、抱き枕１の胴体部が膨張収縮動を行う。上記膨張収縮動の回数／分は、枕の使用者の呼吸数に合わせているため、使用者は安心感を覚え、すぐに眠くなって寝てしまう。【選択図】    図４
2014087379.tif 000002
【特許請求の範囲】
【請求項１】
就寝時に腕や足を絡ませて使用する抱き枕であって、この抱き枕は人間の呼吸数に合わせて径方向に膨張及び収縮動を行う膨張収縮装置を内蔵しており、この膨張収縮装置は、モータと、このモータによって抱き枕の径方向に往復動せしめられる連動部材と、使用者の呼吸を検知するセンサと、このセンサからの信号によって使用者の呼吸間隔を算出し、この算出値に対応して前記モータの回転数を使用者の呼吸数に合わせる制御部とを備えることを特徴とする抱き枕。
【請求項２】
請求項１に記載の抱き枕において、前記制御部はメモリーを有し、このメモリーには直近の複数回の呼吸間隔が記憶され、複数回の呼吸間隔の平均値によって前記モータの回転数を変更することを特徴とする抱き枕。
【請求項３】
請求項１に記載の抱き枕において、前記制御部は使用者の呼吸間隔が無呼吸症候群と判定される秒数以上の回数／時間を記憶し、表示部に表示することを特徴とする抱き枕。
【発明の詳細な説明】
【技術分野】
【０００１】
本発明は抱き枕に関する。
【背景技術】
【０００２】
布団を丸めて抱きつくようにして寝ると安眠できるため、従来から抱き枕が市販されている。抱き枕に関する改良の殆んどは形状に関するものであり、抱き枕の内部に何らかの機能部材を装填したものとしては、特許文献１及び特許文献２が知られている。
【０００３】
特許文献１には、抱き枕の芯部を空洞状にし、その中に電気毛布などの発熱材を入れた構造が提案されている。
【０００４】
特許文献２には、抱き枕の中にペルチェモジュールを入れ、夏には抱き枕の表面が冷たく感じられ、冬には抱き枕の表面が暖かく感じられるようにした構造が提案されている。
【０００５】
非特許文献１には、ハグ＆ドリーム社が２０１２年８月１日受け付け開始のミニーマウス（登録商標）の商品紹介欄において、ミニーマウスが５秒に一回の呼吸動作をすることが開示されている。
【先行技術文献】
【特許文献】
【０００６】
【特許文献１】特開２０００−２０１７８９号公報
【特許文献２】特開２００２−１２５８１１号公報
【非特許文献】
【０００７】
【非特許文献１】ＡＭＡＺＯＮ  インターネットショップ  ハグ＆ドリーム社  ２０１２年８月１日受け付け開始のミニーマウス
【発明の開示】
【発明が解決しようとする課題】
【０００８】
抱き枕を使うことでよく寝られるのは、自分ひとりでないという安心感が生まれるからと言われている。
しかしながら従来の抱き枕は、その形状や材質或いは温度のコンロトロールなどに工夫はされているが、なぜ抱き枕が不眠症などに効くかについての考察が十分になされていない。
【０００９】
非特許文献１に関しては、人形を抱いた人間が寝てしまったという報告がなされている。
しかしながら、これはたまたま人形の１分間の呼吸数（以下、単に呼吸数と記す）と抱いた人間との呼吸数が合っていたからであって、人形の呼吸数と抱いた人間との呼吸数が異なっていると却って寝付けなくなってしまう。
また、成人の呼吸数は１２〜１８回／分と言われているが、年齢、性別、活動時、安静時などの条件によって大きく変化する。
非特許文献１に開示の人形は抱いた人間に親近感を感じさせるために呼吸動作をさせるのが目的で、抱いた人間に誘眠作用を発揮するには不十分である。
【課題を解決するための手段】
【００１０】
本発明者は、自分の呼吸数と同期する膨張・収縮動を感じると、安心感が生まれすぐに眠りにつくことができる知見を得て本発明をなしたものである。
即ち、本発明に係る抱き枕は、使用する人間の呼吸数に合わせて枕の径方向に膨張及び収縮動を行う膨張収縮装置を内蔵しており、この膨張収縮装置は、モータと、このモータによって抱き枕の径方向に往復動せしめられる連動部材と、使用者の呼吸を検知するセンサと、このセンサからの信号によって使用者の呼吸間隔を算出し、この算出値に対応して前記モータの回転数を使用者の呼吸数に合わせる制御部とを備えている。
【００１１】
前記制御部はメモリーを有し、このメモリーに例えば直近の複数回の呼吸間隔を記憶され、複数回の呼吸間隔の平均値によって前記モータの回転数を変更することが可能である。このような構成とすることで、使用者に最も適した呼吸数に自動的に調整することが可能となる。
【発明の効果】
【００１２】
本発明に係る抱き枕によれば、寝つきがよくなり不眠症や肩こり、頭痛などが改善される。また、時差ぼけ解消にも有効である。
【図面の簡単な説明】
【００１３】
【図１】本発明に係る抱き枕の全体図
【図２】本発明に係る抱き枕の使用状態を示す図
【図３】本発明に係る抱き枕の断面図
【図４】（ａ）は息を吐いた時のセンサの状態を示す図、（ｂ）は息を吸った時のセンサの状態を示す図
【図５】別実施例を示す図３と同様の図
【発明を実施するための最良の形態】
【００１４】
以下に本発明の実施例を説明する。図１，２に示すように本発明の抱き枕１は略中央部に空洞部２を有し、この空洞部２内に膨張収縮装置３を内蔵している。尚、膨張収縮装置３は交換が容易となるように柔らかい弾性素材からなるケース３ａ内に納められている。また抱き枕１の側面などには前記空洞部２につながる開口部を抱き枕１に設けることが好ましい。
【００１５】
また膨張収縮装置３のケース３ａには使用者の呼吸数（呼吸の間隔）を検知するセンサ部Ｓが付設されている。センサ部Ｓを配置する箇所は人間の腹部または胸部が当たる個所とする。
【００１６】
図３は膨張収縮装置３の構造を示し、膨張収縮装置３は上下に離間したプレート４，５を備えている。これらプレート４，５はモータによって抱き枕の径方向に往復動せしめられる連動部材である。前記下プレート４上面にはガイド６を固着し、上プレート５の下面には前記ガイド６に摺動自在に係合するロッド７を固着している。
【００１７】
そして、下プレート４面にはモータ８と支柱９を固着し、支柱９の上端には軸１０を設け、この軸１０にカム１１を回転自在に取り付けている。このカム１１の外周面は前記上プレート５の下面に当接している。
【００１８】
またカム１１の側面にはギヤ１２を固着し、このギヤ１２と前記モータ８の駆動軸１３とを減速ギヤ列１４で連結している。
したがって、モータ８を駆動すると、減速ギヤ列１４及びギヤ１２を介してカム１１が回転し、この回転によって上プレート５が下プレート４に対して相対的に上下動し、抱き枕１の胴体部が膨張収縮動を行う。
【００１９】
前記下プレート４には制御部２０及びインバータ２１が取付けられている。制御部２０には前記センサ部Ｓからの信号によって使用者の呼吸間隔（秒）を割り出しその値を記憶するメモリー、メモリーに記憶された複数の呼吸間隔の平均値を算出する計算手段、算出値に基づきインバータ２１にモータ８の回転数を支持する信号を送出するインターフェイスなどが組み込まれている。
【００２０】
また、前記センサ部Ｓは柔軟な素材からなるカバー２２内にセンサ２３が収納されている。このセンサ２３はメカ的センサであり、センサ本体２４からスプリングによって受圧部材２５が外側に付勢されて突出している。センサの形式としてはこれに限らず感圧式など任意のセンサを使用することができる。
【００２１】
前記センサ部Ｓは使用者の腹部または胸部が当たる箇所に内蔵されているので、使用者が抱き枕１を抱いた状態で呼吸をすると、息を吐いた状態では腹部または胸部が凹むため図４（ａ）に示すように受圧部材２５は突出した状態にあり、息を吸った状態では腹部または胸部が膨れるため図４（ｂ）に示すように受圧部材２５は引っ込んだ状態となる。
【００２２】
そこで、図４（ａ）の状態から（ｂ）を経て（ａ）の状態に戻るまでのサイクル時間を制御部２０で割り出し、これを１回の呼吸時間としてメモリーに記憶する。この実施例では例えば直近の１０回或いは２０回の呼吸時間を先入れ先出し方式で記憶し、その平均値を算出し、前記プレート４、５の往復動の時間がこの平均値と同じになるようにモータ８の回転数を制御する。
【００２３】
上記の平均呼吸時間の算出において、使用者は常に抱き枕に接触しているとは限らず、センサ２３が作動しない場合がある。この場合は１回の呼吸時間が極端に長くなってしまう。また、くしゃみや咳をした場合には１回の呼吸時間が極端に短くなってしまう。このような極端な値を平均値算出のデータとして用いるとことがないように、閾値を定め、この閾値の範囲外の値は平均値算出のデータから削除する。
【００２４】
具体的には、成人の場合の呼吸回数は１２〜１８回なので、３．３秒〜５．０秒の範囲内にない呼吸時間は平均値算出に使用しない。また乳児の呼吸数は３０〜４０であるので、１．５秒〜２.０秒の範囲内にない呼吸時間は平均値算出に使用しないように設定する。
【００２５】
ここで、睡眠中に１０秒以上呼吸が止まる無呼吸症候群が成人の場合には深刻な問題になっている。これは本人の自覚がないため治療が遅れてしまう場合が多い。
そこで、制御部２０において単に呼吸時間の平均値算出を行うだけでなく、センサは正常に動作していると仮定した上で、１回の呼吸時間が無呼吸症候群と判定される例えば１０秒を超える回数／時間を検出して表示する機能を付加することができる。
【００２６】
図５に示す実施例にあっては、モータとカム機構の代わりにシリンダユニット１５によって上プレート５と下プレート４が相対的に上下動する構造にしている。
このシリンダユニット１５を用いた場合には、カム機構を用いた場合に比べ、構造はシンプルになるが、シリンダユニット１５を駆動するための圧気源が必要になる。
この他にも、前記上プレート５または下プレート４を形状記憶合金で構成し、通電することで上プレート５または下プレート４を変形するようにしてもよい。
【産業上の利用可能性】
【００２７】
本発明に係る抱き枕は一般家庭のみならず、不眠症や肩こりなどの治療、無呼吸症候群の検出にも使用することができる。
【符号の説明】
【００２８】
１…抱き枕、２…空洞部、３…膨張収縮装置、４…下プレート、５…上プレート、６…ガイド、７…ロッド、８…モータ、９…支柱、１０…軸、１１…カム、１２…ギヤ、１３…モータの駆動軸、１４…減速ギヤ列、１５…シリンダユニット、２０…制御部、２１…インバータ、２２…カバー、２３…センサ、２４…センサ本体、２５…受圧部材。
Ｓ…センサ部
【図１】
2014087379.tif 000003
【図２】
2014087379.tif 000004
【図３】
2014087379.tif 000005
【図４】
2014087379.tif 000006
【図５】
2014087379.tif 000007
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
就寝時に腕や足を絡ませて使用する抱き枕であって、この抱き枕は腹部または胸部が当たる個所に使用者の呼吸を検知するセンサが設けられ、また抱き枕内には前記センサからの信号によって使用者の呼吸間隔を算出する制御部が設けられ、この制御部では前記使用者の呼吸間隔が無呼吸症候群と判定される秒数以上の回数／時間を記憶し、表示部に表示することを特徴とする抱き枕。
【請求項２】
就寝時に腕や足を絡ませて使用する抱き枕であって、この抱き枕は腹部または胸部が当たる個所に使用者の呼吸を検知するセンサが設けられ、また抱き枕内には前記センサからの信号によって使用者の呼吸間隔を算出する制御部が設けられ、また抱き枕の内部にはモータの駆動で径方向に膨張及び収縮動を行う膨張収縮装置が内蔵され、前記制御部では算出した前記呼吸間隔に対応して前記モータの回転数を使用者の呼吸数に合わせることを特徴とする抱き枕。
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
就寝時に腕や足を絡ませて使用する抱き枕であって、この抱き枕は腹部または胸部が当たる個所に使用者の呼吸を検知するセンサが設けられ、また抱き枕内には前記センサからの信号によって使用者の呼吸間隔を算出する制御部が設けられ、また抱き枕の内部にはモータの駆動で径方向に膨張及び収縮動を行う膨張収縮装置が内蔵され、前記制御部では前記使用者の呼吸間隔が無呼吸症候群と判定される秒数以上の回数／時間を記憶し、表示部に表示することを特徴とする抱き枕。
【請求項２】
就寝時に腕や足を絡ませて使用する抱き枕であって、この抱き枕は腹部または胸部が当たる個所に使用者の呼吸を検知するセンサが設けられ、また抱き枕内には前記センサからの信号によって使用者の呼吸間隔を算出する制御部が設けられ、また抱き枕の内部にはモータの駆動で径方向に膨張及び収縮動を行う膨張収縮装置が内蔵され、前記制御部では算出した前記呼吸間隔に対応して前記モータの回転数を使用者の呼吸数に合わせることを特徴とする抱き枕。